(57)【要約】【課題】  時刻指定送信機能を備える複合機１の利用効率を向上させる。【解決手段】  ユーザ要求受入手段１０３ａは、ユニットの選択と、選択されたユニットの実行条件とを含むユーザ要求を受け入れ、不揮発性メモリ１０８は、ユーザ要求、及び、送信画像データまたは受信画像データを格納し、画像データ取得手段１０３ｆは、ユーザ要求受入手段１０３ａが画像データ送受信機能を含むユーザ要求を受け入れると、スキャナ１０６を制御し、原稿画像から送信画像データを読み取って不揮発性メモリ１０８に格納し、データ送信手段１０３ｇは、計時制御手段１０３ｅから送信開始通知を受け入れると、ファクシミリ１０７を制御し、上記不揮発性メモリ１０８から上記送信画像データ、及び、上記実行条件を読み出して、該実行条件に基づいて上記送信画像データを送信させる。【選択図】  図１
2008219146.tif 000002
【特許請求の範囲】
【請求項１】
原稿画像から送信画像データを読み取る画像読取機能と、前記送信画像データを所定の宛先へ送信し、所定の送信元から受信画像データ受信する画像データ送受信機能と、前記送信画像データまたは前記受信画像データを印刷出力する画像印刷機能と、計時手段を有し予め定められている送信開始時刻を検知すると送信開始通知を出力する時刻管理機能とを備える画像形成装置であって、
前記画像読取機能、前記画像データ送受信機能、及び画像印刷機能の中から所定の機能の選択と、選択された機能の実行条件とを含むユーザ要求を受け入れるユーザ要求受入手段と、
前記ユーザ要求、及び、前記送信画像データまたは前記受信画像データを格納する格納部と、
前記ユーザ要求受入手段が前記画像データ送受信機能を含むユーザ要求を受け入れると、前記画像読取機能を制御し、前記原稿画像から送信画像データを読み取って、前記格納部に格納する画像データ取得手段と、
前記送信開始通知を受け入れると前記画像データ送受信機能を制御し、前記格納部から前記送信画像データ、及び、前記実行条件を読み出して、該実行条件に基づいて前記送信画像データを送信させるデータ送信手段とを備えることを特徴とする画像形成装置。
【請求項２】
複数のユーザ要求を一括して保存する送信ジョブ管理情報と、
前記送信開始通知を受け入れると前記送信ジョブ管理情報の中から該当する実行条件を検出する送信ジョブ管理手段とを更に備え、
前記データ送信手段は、
前記送信開始通知を受け入れると前記画像データ送受信機能を制御し、前記格納部から前記送信画像データを読み出して、前記送信ジョブ管理手段が検出した実行条件に基づいて送信することを特徴とする請求項１に記載の画像形成装置。
【請求項３】
複数のユーザ要求を個々に保存する複数の送信ジョブ制御情報と、
該複数の送信ジョブ制御情報に個々に対応する複数の送信ジョブ制御手段とを更に備え、
前記データ送信手段は、
前記送信開始通知を受け入れると前記画像データ送受信機能を制御し、前記格納部から前記送信画像データを読み出して、前記送信ジョブ制御手段に対応する送信ジョブ制御情報の実行条件に基づいて送信することを特徴とする請求項１に記載の画像形成装置。
【請求項４】
前記、画像読取機能、前記画像データ送受信機能、及び画像印刷機能の各々の稼動状態を個々に監視し、各々毎に非稼動状態を明示するジョブ監視手段を更に備え、
前記データ送信手段は、
所定の画像データの送信が終了、または失敗すると、後に続く画像データの送信開始において、該後に続く画像データの送信に必要な機能の全てに関し、前記非稼動状態の明示を認識すると、起動開始することを特徴とする請求項２または請求項３に記載の画像形成装置。
【発明の詳細な説明】
【技術分野】
【０００１】
本発明は、コピー機能やファクシミリ機能を有する画像形成装置に関するものである。
【背景技術】
【０００２】
従来から、時刻指定送信機能を備える複合機が存在した。この複合機は、指定された送信時間がくるまで送信を保留し、指定された送信時間になると指定された送信宛先へ送信する機能を有している。この機能により、昼間の勤務時間中に時刻指定送信モードで原稿を読み取らせ、送信宛先とともに送信時刻を指定することによって、昼間急を要しない原稿を読み取って得た送信データを、通信コストが安くなる深夜に送信することが可能になる。その結果、複合機の利便性を高めることができる。しかし、同時に複数の機能を利用できない複合機では、時刻指定送信機能を実現するためには、原稿を読み取って指定された時刻になるまでの間、当該機能がシステム全体を占有することになっていた。
【特許文献１】特開平１０−２２４５４４号公報
【発明の開示】
【発明が解決しようとする課題】
【０００３】
上記複数の機能を利用できない複合機では、送信開始時刻が経過し、送信データの送信宛先への送信が完了しない限り、当該機能を含むシステム全体が利用不可能になっていた。そのため、システム全体の利用効率が低下するという解決すべき課題が残されていた。本発明の目的は、同時に複数の機能を利用できない複合機において、装置コストの上昇を回避しつつ、システム全体の利用効率の低下が伴わない時刻指定送信機能を備えることを目的とする。
【課題を解決するための手段】
【０００４】
本発明は、原稿画像から送信画像データを読み取る画像読取機能と、上記送信画像データを所定の宛先へ送信し、所定の送信元から受信画像データ受信する画像データ送受信機能と、上記送信画像データまたは上記受信画像データを印刷出力する画像印刷機能と、計時手段を有し予め定められている送信開始時刻を検知すると送信開始通知を出力する時刻管理機能とを備える画像形成装置であって、上記画像読取機能、上記画像データ送受信機能、及び画像印刷機能の中から所定の機能の選択と、選択された機能の実行条件とを含むユーザ要求を受け入れるユーザ要求受入手段と、上記ユーザ要求、及び、上記送信画像データまたは上記受信画像データを格納する格納部と、上記ユーザ要求受入手段が上記画像データ送受信機能を含むユーザ要求を受け入れると、上記画像読取機能を制御し、上記原稿画像から送信画像データを読み取って、上記格納部に格納する画像データ取得手段と、上記送信開始通知を受け入れると上記画像データ送受信機能を制御し、上記格納部から上記送信画像データ、及び、上記実行条件を読み出して、該実行条件に基づいて上記送信画像データを送信させるデータ送信手段とを備えることを主要な特徴とする。
【発明の効果】
【０００５】
ユーザ要求受入手段がユーザ要求を受け入れると、画像データ取得手段が送信画像データを取得し、該送信画像データを格納部に格納し、データ送信手段は、送信開始通知を受け入れるまで起動開始しないので、画像データ取得手段が送信画像データ格納部に格納した後、データ送信手段が、送信開始通知を受け入れるまでの間、画像形成装置は他のユーザ要求を処理することが可能になるので、システム全体の利用効率の低下を防止することができるという効果を得る。又かかる目的を制御プログラムの追加・変更のみで実現したので装置コストの上昇を回避することも可能になるという効果を得る。
【発明を実施するための最良の形態】
【０００６】
以下、本発明の一実施形態を図を用いて詳細に説明する。
【実施例１】
【０００７】
（構成）の説明
図１は、実施例１の複合機の構成図である。
図に示すように、実施例１の画像形成装置としての複合機１は、オペレータパネル１０１と、ユーザインタフェース部１０２と、複合制御部１０３と、ＲＡＭ１０４と、プリンタ１０５と、スキャナ１０６と、ファクシミリ１０７と、不揮発性メモリ１０８と、時計回路１０９と、ＲＯＭ１１０とを備える。
【０００８】
オペレータパネル１０１は、この複合機１を利用するユーザが、ユーザ要求Ｓ１を生成させるために、利用する機能の選択、及び、必要な情報の入力を行うパネルである。その内容について詳細に説明する。ここでユーザ要求Ｓ１とは、ユーザが求める処理を複合機に実行させるために、複合機の有する複数の機能の中から必要な機能を選択し、該選択された機能の実行条件を定める情報（制御プログラム）である。
【０００９】
図２は、オペレータパネルの詳細な説明図である。
図において、ボタン９１はユーザが機能を利用するときの実行条件を設定する為のボタンである。パネル９２は機能や設定を表示する表示手段であり、図中では反転されている“ＦＡＸ”機能が選択されている。Ｓｔｏｐボタン９３はユーザが選択したオペレーションや、処理中の機能をキャンセルするボタンである。Ｓｔａｒｔボタン９４はユーザが選択したオペレーションの確定や、機能を開始する指示を与える為に押下するボタンである。図１に戻って複合機１の構成部分の説明を継続する。
【００１０】
ユーザインタフェース部１０２は、オペレータパネル１０１を複合制御部１０３に接続するためのインタフェース回路である。
【００１１】
複合制御部１０３は、図示しないＣＰＵがＲＯＭ１１０に予め格納されている所定の制御プログラムを実行することによって、装置全体を制御する部分である。特に、本実施例では、図示しないＣＰＵがＲＯＭ１１０に予め格納されている所定の制御プログラムを実行することによって、ユーザ要求受入手段１０３ａと、プリンタ制御手段１０３ｂと、スキャナ制御手段１０３ｃと、ファクシミリ制御手段１０３ｄと、計時制御手段１０３ｅと、画像データ取得手段１０３ｆと、データ送信手段１０３ｇと、各制御監視手段１０３ｈとを起動・生成する部分である。
【００１２】
ユーザ要求受入手段１０３ａは、プリンタ１０５と、スキャナ１０６と、ファクシミリ１０７の中から、ユーザが求める処理を複合機１で実行するために利用する機器（機能）の選択と、選択された機能の実行条件とを含むユーザ要求Ｓ１を受け入れる手段である。この手段は、ユーザに対して、オペレータパネル１０１を介して、利用する機能の選択、該機能を利用するために必要な実行条件の入力を求める。ユーザ要求Ｓ１には、実行条件を設定するパラメータが付加される。このパラメータの内容（一例）について説明する。以下の説明において、ユーザ要求Ｓ１は、ユーザが、所定の原稿をスキャナ１０６に読み取らせ（原稿読取ジョブ）、この読み取った原稿データを、ファクシミリ１０７を用いて、指定時刻に相手側ファクシミリ１１１へ送信させる（送信ジョブ）ために、複合機１の有する複数の機能の中から必要な機能の選択、及び、選択された機能の実行条件を定める情報である場合に限定して説明する（後に続く実施例でも同様とする）。
【００１３】
図３は、ファックス送信機能利用時に設定されるパラメータの内容説明図である。
パラメータ７は、ユーザがオペレータパネルを介して設定した実行条件である。図に示すように、送信宛先３１、送信開始時間３２、リダイヤル回数３３、リダイヤル間隔３４等がそれぞれ設定される。
【００１４】
尚、ユーザ要求Ｎｏは、パラメータ７が付加されるユーザ要求Ｓ１を特定するための識別子であり、画像データ取得手段１０３ｆが起動されるときにパラメータ７に追加される。
【００１５】
送信宛先３１は、ファクシミリ１０７を利用してデータを相手側ファクシミリ１１１（図１）に送信する機能が選択された場合の送信先情報である。送信開始時間３２は送信宛先３１と同様、ファクシミリを利用した場合のデータ送信開始時間情報である。リダイヤル回数３３、リダイヤル間隔も同様、ファクシミリ利用時にデータ送信失敗したときのリダイヤル回数とデータ送信失敗から次のリダイヤルまでの間隔の情報である。この図３ではリダイヤル回数が−１とあるが、ここではリダイヤル回数が無限であることを示す。また、リダイヤル間隔の単位は秒である。図１に戻って複合機１の構成部分の説明を継続する。
【００１６】
プリンタ制御手段１０３ｂは、ユーザ要求Ｓ１を達成すべくプリンタ１０５を制御する手段である。スキャナ制御手段１０３ｃは、ユーザ要求Ｓ１を達成すべくスキャナ１０６を制御する手段である。ファクシミリ制御手段１０３ｄは、ユーザ要求Ｓ１を達成すべくファクシミリ１０７を制御する手段である。計時制御手段１０３ｅは、時計回路１０９を監視し、パラメータ７（図３）に設定されている送信開始時間３２の経過をデータ送信手段１０３ｇに通知する手段である。
【００１７】
画像データ取得手段１０３ｆは、ユーザ要求受入手段１０３ａが画像データ送受信機能を含むユーザ要求Ｓ１を受け入れると、スキャナ１０６を制御し、原稿画像から送信画像データを読み取って、不揮発性メモリ１０８に格納する手段である。データ送信手段１０３ｇは、計時制御手段１０３ｅから時刻経過通知Ｓ３を受け入れると画像データ送受信機能（ファクシミリ１０７）を制御し、不揮発性メモリ１０８から送信画像データを読み出し、そしてＲＡＭ１０４から実行条件（パラメータ７（図３））を読み出して、該実行条件に基づいて送信画像データを送信させる手段である。更に、ユーザ要求Ｓ１の実行が完了すると該ユーザ要求Ｓ１を消去する手段でもある。各制御監視手段１０３ｈは、プリンタ制御手段１０３ｂ、スキャナ制御手段１０３ｃ、及びファクシミリ制御手段１０３ｄの起動・生成を監視している手段である。
【００１８】
ＲＡＭ１０４はＲＯＭ１１０に格納されているプログラムが展開されるランダムアクセスメモリである。その他、ＲＡＭ１０４には複合機１が処理をするために必要なデータが適時書き込まれるメモリでもある。
【００１９】
プリンタ１０５は、ユーザ要求Ｓ１に基づく印刷ジョブを受け入れて印刷するユニットである。スキャナ１０６は、スキャナ制御手段１０３ｃの制御により、自己に載置された原稿を読み取り、ＲＡＭ１０４へ出力するユニットである。ファクシミリ１０７はファクシミリ制御手段１０３ｄの制御により、送信ジョブＳ４を受け入れてＲＡＭ１０４から取得した送信データを相手側ファクシミリ１１１に送信するユニットである。更に、ファクシミリ１０７は相手側ファクシミリ１１１からの着信で、原稿データの読み込みを開始するユニットでもある。ここで相手側ファクシミリ１１１とは複合機１が原稿データを送信するファクシミリである。
【００２０】
不揮発性メモリ１０８は、複合機１の電源が落とされても保持されるべきデータを格納するメモリである。また不揮発性メモリ１０８にはオペレータパネル１０１を介して設定された情報や相手側ファクシミリ１１１から受信し、印刷が完了していないデータ等が格納される。時計回路１０９は、時間経過を計測する計時手段である。
【００２１】
ＲＯＭ１１０は、図示しないＣＰＵが実行することによって複合制御部１０３を起動・生成し、装置全体を制御する制御プログラムを予め格納するリードオンリーメモリである。又、図示しないＣＰＵが実行することによって複合制御部１０３内のユーザ要求受入手段１０３ａと、プリンタ制御手段１０３ｂと、スキャナ制御手段１０３ｃと、ファクシミリ制御手段１０３ｄと、計時制御手段１０３ｅと、画像データ取得手段１０３ｆと、データ送信手段１０３ｇと、各制御監視手段１０３ｈとを起動・生成し、オペレータパネル１０１から入力されたユーザ要求Ｓ１を実行するための制御プログラムを予め格納するリードオンリーメモリである。以上説明した実施例１の複合機１は、以下のように動作する。
【００２２】
（動作）の説明
図４は、実施例１のファクシミリ機能処理フローチャートである。
このフローチャートを用いて、ユーザ要求Ｓ１を受け入れて、実行する複合機１の概略動作について説明し、続いて、重要なフローについて、別のフローチャートを用いて再度詳細に説明する。以下の説明において、ユーザ要求Ｓ１は、ユーザが、所定の原稿をスキャナ１０６に読み取らせ、この読み取った原稿データを、ファクシミリ１０７を用いて、指定時刻に相手側ファクシミリ１１１へ送信させる（送信ジョブ）ために、複合機の有する複数の機能の中から必要な機能の選択、及び、選択された機能の実行条件を定める情報であるとして説明する。又、ユーザ要求Ｓ１の識別子は“１”と設定されるものとする。以下の説明では図１を併用する。
【００２３】
ステップＳ１−１
ユーザがオペレータパネル１０１を用いてファクシミリ機能を選択する（図２）。
【００２４】
ステップＳ１−２
ファクシミリ機能が選択されると、ユーザインタフェース部１０２を介してファクシミリ機能の選択が複合制御部１０３へ通知される。ここでユーザ要求受入手段１０３ａが起動し、ユーザ要求Ｓ１の受け入れを開始する。
【００２５】
ステップＳ１−３
ユーザは、スキャナ１０６が読み取った原稿を送信する送信宛先、送信を開始する送信開始時刻、送信相手が通話中などで送信できなかった場合に再送信する回数を示すリダイヤル回数、リダイヤル間隔をオペレータパネル１０１を用いて設定する。ここでは図３を一例として、パラメータ７（図３）は、送信宛先に０３−１２３−４５６７、送信開始時刻に２００６／１０／３  ２３：００、リダイヤル回数無限、リダイヤル間隔１８０秒に、それぞれ設定するものとする。
【００２６】
ステップＳ１−４
ユーザは、スキャナ１０６に読み取り原稿を置いてオペレータパネル１０１のＳｔａｒｔボタン９４（図２）を押下する。ここでユーザ要求受入手段１０３ａは役割を終了し、画像データ取得手段１０３ｆが起動開始する。
【００２７】
ステップＳ１−５
画像データ取得手段１０３ｆが、ユーザ要求Ｓ１の実行を開始する。このとき画像データ取得手段１０３ｆは、パラメータ７（図３）のユーザ要求Ｎｏにユーザ要求の識別子（ここでは、例えば“１”）を追加する。
【００２８】
ステップＳ１−６
画像データ取得手段１０３ｆは、各制御監視手段１０３ｈに対して、スキャナ制御手段１０３ｃが現時点で稼動中か否かを問い合わせ、非稼動中であればステップＳ１−７へ進み、稼動中であれば待機し、非稼動になった後ステップＳ１−７へ進む。
【００２９】
ステップＳ１−７
画像データ取得手段１０３ｆは、原稿読取ジョブＳ２を生成し、スキャナ制御手段１０３ｃへ送り、原稿の読み取りを実行させる。このフローについては後に再度詳細に説明する。
【００３０】
ステップＳ１−８
画像データ取得手段１０３ｆは、原稿の読み取りが完了すると、ユーザ要求Ｎｏ（ユーザ要求識別子）３０、送信宛先３１、リダイヤル回数３３、リダイヤル間隔３４等を含むパラメータ７（図３）を不揮発性メモリ１０８に格納し、送信開始時間を計時制御手段１０３ｅに設定して役割を終了する。不揮発性メモリ１０８に格納するのは、原稿データ送信前に複合機の電源が落とされてパラメータ情報が消失してしまうのを防ぐ為である。
【００３１】
ステップＳ１−９
データ送信手段１０３ｇは、送信開始時刻（図３では２００６／１０／３  ２３：００）の経過を待ち、時刻が経過すると計時制御手段１０３ｅから時刻経過通知Ｓ３を受け入れる。このフローについては後に再度詳細に説明する。
【００３２】
ステップＳ１−１０
データ送信手段１０３ｇは、各制御監視手段１０３ｈに対して、ファクシミリ制御手段１０３ｄが現時点で稼動中か否かを問い合わせ、非稼動中であればステップＳ１−１１へ進み、稼動中であれば待機し、非稼動になった後、リダイヤルし、所定の時間経過後にステップＳ１−１１へ進む。
【００３３】
ステップＳ１−１１
データ送信手段１０３ｇは、不揮発性メモリ１０８から送信画像データを読み出し、そしてＲＡＭ１０４から実行条件を読み出して、送信ジョブＳ４を生成し、ファクシミリ制御手段１０３ｄへ送出して原稿送信を指示する。ファクシミリ制御手段１０３ｄは、データ送信を実行する。このフローについては後に再度詳細に説明する。
【００３４】
ステップＳ１−１２
データ送信手段１０３ｇは、不揮発性メモリ１０８から実行完了したユーザ要求Ｓ１に関連する情報を全て消去してフローを終了する。
【００３５】
図５は、原稿読み取り処理フローチャートである。
この図は上記ステップＳ１−７の詳細を示すフローチャートである。
【００３６】
ステップＳ１−７−１
スキャナ制御手段１０３ｃは画像データ取得手段１０３ｆから原稿読取ジョブＳ２を受け入れる。
【００３７】
ステップＳ１−７−２
スキャナ制御手段１０３ｃは、スキャナ１０６に対して原稿の読み取りを指示する。
【００３８】
ステップＳ１−７−３
スキャナ１０６は、スキャナ制御手段１０３ｃの制御に基づいて、上記ステップＳ１−４でユーザがスキャナ１０６に挿入した原稿の読み取りを実行する。
【００３９】
ステップＳ１−７−４
スキャナ１０６は、スキャナ制御手段１０３ｃの制御に基づいて、読み取った原稿データを不揮発性メモリ１０８に格納してフローを終了する。不揮発性メモリ１０８に格納された原稿データのファイル名はｓｅｎｄ＿ｄａｔａ＿Ｘ．ｄａｔ（Ｘはユーザ要求識別子でありここでは前提より１となる）であると定義されているので、このとき不揮発性メモリに格納されたファイルの名前はｓｅｎｄ＿ｄａｔａ＿１．ｄａｔとなる。
【００４０】
図６は、時間待ち処理フローチャートである。
この図は上記ステップＳ１−９の詳細を示すフローチャートである。
【００４１】
ステップＳ１−９−１
計時制御手段１０３ｅは時計回路に送信開始時刻（図３では２００６／１０／３  ２３：００）を設定（時刻指定）する。
【００４２】
ステップＳ１−９−２
計時制御手段１０３ｅは、時計回路１０９を使って、指定時刻（図３では２００６／１０／３  ２３：００）が経過するまで時刻を監視する。
【００４３】
ステップＳ１−９−３
計時制御手段１０３ｅは、指定時刻（図３では２００６／１０／３  ２３：００）が経過すると、データ送信手段１０３ｇに対して時刻経過通知Ｓ３を通知してフローを終了する。
【００４４】
図７は、原稿送信処理フローチャートである。
この図は上記ステップＳ１−１１（送信成功時）の詳細を示すフローチャートである。
【００４５】
ステップＳ１−１１−１
ファクシミリ制御手段１０３ｄは、データ送信手段１０３ｇから送信ジョブＳ４を受け入れると、不揮発性メモリ１０８に格納された原稿データ（ここではｓｅｎｄ＿ｄａｔａ＿１．ｄａｔ）をユーザ要求Ｎｏ（図３では１）に基づいて検出し、読み出す。
【００４６】
ステップＳ１−１１−２
ファクシミリ制御手段１０３ｄは、画像データ取得手段１０３ｆの制御に基づいて送信宛先（図３では０３−１２３−４５６７）と原稿データ（ここではｓｅｎｄ＿ｄａｔａ＿１．ｄａｔ）を指定する。
【００４７】
ステップＳ１−１１−３
ファクシミリ制御手段１０３ｄは、データ送信手段１０３ｇの制御に基づいて原稿データ（ここではｓｅｎｄ＿ｄａｔａ＿１．ｄａｔ）をファクシミリ送信データに変換し、その変換後のデータと送信宛先０３−１２３−４５６７をファクシミリ１０７に出力して原稿の送信を指示する。
【００４８】
ステップＳ１−１１−４
ファクシミリ制御手段１０３ｄの制御に基づいてファクシミリ１０７は、指定された送信宛先（図３では０３−１２３−４５６７）へ原稿を送信してフローを終了する。
【００４９】
図８は、原稿送信失敗時のリダイヤル処理フローチャートである。
この図は上記ステップＳ１−１１において、ファクシミリ１０７が原稿データを送信しようとしたが、相手側ファクシミリ１１１がオフフックしていた為送信に失敗した場合の処理の詳細を示すフローチャートである。
【００５０】
ステップＳ１−１１−１１
ファクシミリ制御手段１０３ｄの制御に基づいてファクシミリ１０７は、原稿データを相手側ファクシミリ１１１に向けて送信する。
【００５１】
ステップＳ１−１１−１２
ファクシミリ制御手段１０３ｄは、ファクシミリ１０７から送信結果を取得する。
【００５２】
ステップＳ１−１１−１３
相手側ファクシミリ１１１がオフフックしていた為に送信が失敗した場合はステップＳ１−９−１４へ進み、成功した場合はフローを終了する。
【００５３】
ステップＳ１−１１−１４
ファクシミリ制御手段１０３ｄは、データ送信手段１０３ｇの制御に基づいて、パラメータ７（図３）のリダイヤル回数３３（図３では無限回）を検出し、無限大の場合はステップＳ１−９−１７へ進み、それ以外の場合にはステップＳ１−１１−１５へ進む。
【００５４】
ステップＳ１−１１−１５
ファクシミリ制御手段１０３ｄは、データ送信手段１０３ｇの制御に基づいて、パラメータ７のリダイヤル回数３３が有限回数に設定されていた場合、そのリダイヤル回数が０よりも大きな値であった場合はステップＳ１−１１−１６へ進み、０の場合は送信失敗のまま処理を終了する。
【００５５】
ステップＳ１−１１−１６
ファクシミリ制御手段１０３ｄは、データ送信手段１０３ｇの制御に基づいて、リダイヤル回数を１だけ減算しリダイヤル間隔（１８０秒）後にファクシミリ制御手段１０３ｄに対して再度送信を開始させる。
【００５６】
ステップＳ１−１１−１７
リダイヤル時間（図３では１８０秒）待ったあとステップＳ１−９−１１へ戻ってフローを繰り返し、ステップＳ１−９−１３で送信成功の後、またはステップＳ１−９−１５でリダイヤル回数が０になるとフローを終了する。
【００５７】
（効果）の説明
以上説明したように、本実施例によれば、同時に複数の機能を利用できない複合機においても、上記ステップＳ１−１１において時刻指定待ち状態において、複合機１はアイドル状態（何も処理をしていない状態）と同じなので、この場合は複合機１で利用可能な全ての機能を実行可能になるので複合機１の利用効率を高めることができるという効果を得る。
【実施例２】
【００５８】
（構成）の説明
上記実施例１では、図７、図８に示すように、原稿送信が完了した後、または原稿送信が成功しなかった場合の後処理については触れていない。実施例２では、更にリダイヤル時間待機中のプログラム領域を減らしながら、待機中のジョブ以外の他の処理を割り込ませる目的を達成するために、本実施例による複合機２は、以下のように構成される。
【００５９】
図９は、実施例２の複合機の構成図である。
図に示すように、実施例２の画像形成装置としての複合機２は、オペレータパネル１０１と、ユーザインタフェース部１０２と、複合制御部２０３と、ＲＡＭ２０４と、プリンタ１０５と、スキャナ１０６と、ファクシミリ１０７と、不揮発性メモリ１０８と、時計回路１０９と、ＲＯＭ２１０とを備える。以下に実施例１と相違する部分のみについて詳細に説明する。実施例１と同様の部分については実施例１と同一の符号を付して説明を援用する。
【００６０】
複合制御部２０３は、図示しないＣＰＵがＲＯＭ２１０に予め格納されている所定の制御プログラムを実行することによって、装置全体を制御する部分である。特に、本実施例では、図示しないＣＰＵがＲＯＭ２１０に予め格納されている所定の制御プログラムを実行することによって、ユーザ要求受入手段１０３ａと、プリンタ制御手段１０３ｂと、スキャナ制御手段１０３ｃと、ファクシミリ制御手段１０３ｄと、計時制御手段１０３ｅと、画像データ取得手段１０３ｆと、データ送信手段２０３ａと、各制御監視手段１０３ｈと、送信ジョブ管理手段２０３ｂとを起動・生成してユーザ要求Ｓ１を受け入れて実行する部分である。
【００６１】
データ送信手段２０３ａは、計時制御手段１０３ｅから時刻経過通知Ｓ３を受け入れると、不揮発性メモリ１０８に格納されているパラメータ７（図３）を参照して複数のユーザ要求Ｓ１の実行条件を一括して保存する送信ジョブ管理テーブル２０４ａをＲＡＭ２０４に形成し、且つ、ファクシミリ制御手段１０３ｄを制御し、不揮発性メモリ１０８から送信画像データを読み出して、送信ジョブ管理手段２０３ｂ（後述）が検出した実行条件に基づいて送信する手段である。
【００６２】
送信ジョブ管理手段２０３ｂは、送信ジョブ管理テーブル２０４ａから該当する実行条件を検出する手段である。
【００６３】
ＲＡＭ２０４はＲＯＭ２１０に格納されているプログラムが展開されるランダムアクセスメモリである。その他、ＲＡＭ２０４には複合機２が処理をするために必要なデータが適時書き込まれるメモリでもある。更に、データ送信手段２０３ａが起動を開始すると、送信ジョブ管理テーブル２０４ａが生成されるメモリでもある。ここで送信ジョブ管理テーブル２０４ａの内容について説明する。
【００６４】
図１０は、実施例２の送信ジョブ管理テーブルの説明図である。
図に示すように、送信ジョブ管理テーブル２０４ａは、ユーザ要求識別子１６０１、送信宛先１６０２、送信開始時刻１６０３、リダイヤル回数１６０４、及び、リダイヤル間隔１６０５について、不揮発性メモリ１０８に格納されている送信ジョブの全てについて一覧表にし、ユーザ要求に基づく送信ジョブを管理するテーブルである。
【００６５】
ＲＯＭ２１０は、図示しないＣＰＵが実行することによって複合制御部２０３を起動生成し、装置全体を制御する制御プログラムを予め格納するリードオンリーメモリである。又、図示しないＣＰＵが実行することによって複合制御部２０３内のユーザ要求受入手段１０３ａと、プリンタ制御手段１０３ｂと、スキャナ制御手段１０３ｃと、ファクシミリ制御手段１０３ｄと、計時制御手段１０３ｅと、画像データ取得手段１０３ｆと、データ送信手段２０３ａと、各制御監視手段１０３ｈと、送信ジョブ管理手段２０３ｂとを起動生成し、オペレータパネル１０１から入力されたユーザ要求Ｓ１を受け入れて、実行するための制御プログラムを予め格納するリードオンリーメモリである。以上説明した実施例２の複合機２は、以下のように動作する。
【００６６】
（動作）の説明
以下に、実施例１と相違する動作のみについて説明する。即ち、原稿送信が完了した後、または原稿送信が成功しなかった場合におけるリダイヤルの動作のみについてのみ以下に説明する。
【００６７】
図１１は、実施例２のリダイヤル処理のフローチャートである。
ステップＳ２−１
データ送信手段２０３ａは、計時制御手段１０３ｅから時刻経過通知Ｓ３を受け入れると、送信ジョブ管理テーブル２０４ａをＲＡＭ２０４に形成する。送信ジョブ管理手段２０３ｂは、送信ジョブ管理テーブル２０４ａ（図１０）を参照し、該当するユーザ要求Ｓ１を特定し、実行条件をデータ送信手段２０３ａへ送る。データ送信手段２０３ａは、この実行条件に基づいて送信ジョブを生成してファクシミリ制御手段１０３ｄへ送る。
【００６８】
ステップＳ２−２
ファクシミリ制御手段１０３ｄは、ファクシミリ１０７を使用して相手側ファクシミリ１１１へダイヤル接続を試みた結果、接続可能な場合にはステップＳ２−３へ進み、接続不可能な場合にはステップＳ２−４へ進む。
【００６９】
ステップＳ２−３
ファクシミリ制御手段１０３ｄは、データ送信手段２０３ａの制御に基づいて相手側ファクシミリ１１１への送信ジョブの送信を開始する。送信が終了するとデータ送信手段２０３ａは該当する送信ジョブに関連する情報を不揮発性メモリ１０８、及び送信ジョブ管理テーブル２０４ａから消去してフローを終了する。
【００７０】
ステップＳ２−４
ファクシミリ制御手段１０３ｄは、データ送信手段２０３ａの制御に基づいて送信ジョブを消去してステップＳ２−５へ進む。
【００７１】
ステップＳ２−５
ファクシミリ制御手段１０３ｄは、データ送信手段２０３ａの制御に基づいて一定時間（リダイヤル時間）経過後に再度ステップＳ２−１へ戻って新たに送信ジョブを生成することになる。
【００７２】
ここで、ダイヤル接続不可能で、原稿送信が失敗した場合において、後に続くファクシミリ機能要求があった場合の動作について説明する。この場合、実施例１と異なり、原稿の送信が失敗するとその送信ジョブは削除され、一定時間（リダイヤル時間）経過後に、後に続く送信ジョブが生成される。そのため、その間に新たなファクシミリ機能の要求があった場合、その要求を処理するも可能になる。
【００７３】
（効果）の説明
以上説明したように、本実施例によれば、送信ジョブ管理手段２０３ｂと送信ジョブ管理テーブル２０４ａを設けたので、送信単位毎に送信ジョブを管理し、送信に失敗した場合には一旦その送信ジョブを消去するので、送信が失敗した時点から再度送信ジョブを生成して送信するまでの間に、一定時間（リダイヤル時間）経過後に他のユーザが処理を割り込ませて複合機を利用することが出来るという効果を得る。
【実施例３】
【００７４】
（構成）の説明
上記実施例２では、原稿送信が完了した後、または原稿送信が成功しなかった場合の後処理を１つの送信ジョブ管理手段２０３ｂが、複数の送信ジョブを有する送信ジョブ管理テーブル２０４ａを用いて実行した。本実施例では、同一の後処理を、個々の送信ジョブ毎に設けられた送信ジョブ制御情報と、該送信ジョブ制御情報に１対１に対応する送信ジョブ制御手段３０３ｂとを用いて対処する。本実施例の複合機では、かかる後処理を実行するために以下のように構成される。以下に実施例１または実施例２と異なる部分のみについて説明し、実施例１または実施例２と同様の部分については、実施例１または実施例２と同一の符号を付して説明を援用する。
【００７５】
図１２は、実施例３の複合機の構成図である。
図に示すように、実施例３の画像形成装置としての複合機３は、オペレータパネル１０１と、ユーザインタフェース部１０２と、複合制御部３０３と、ＲＡＭ３０４と、プリンタ１０５と、スキャナ１０６と、ファクシミリ１０７と、不揮発性メモリ１０８と、時計回路１０９と、ＲＯＭ３１０とを備える。
【００７６】
複合制御部３０３は、図示しないＣＰＵがＲＯＭ３１０に予め格納されている所定の制御プログラムを実行することによって、装置全体を制御する部分である。特に、本実施例では、図示しないＣＰＵがＲＯＭ３１０に予め格納されている所定の制御プログラムを実行することによって、ユーザ要求受入手段１０３ａと、プリンタ制御手段１０３ｂと、スキャナ制御手段１０３ｃと、ファクシミリ制御手段１０３ｄと、計時制御手段１０３ｅと、画像データ取得手段１０３ｆと、データ送信手段３０３ａと、各制御監視手段１０３ｈと、送信ジョブ制御手段３０３ｂとを起動・生成してユーザ要求Ｓ１を受け入れて実行する部分である。
【００７７】
複合制御部３０２は、計時制御手段１０３ｅから時刻経過通知Ｓ３を受け入れるとデータ送信制御手段３０３ａを用いて、不揮発性メモリ１０８に格納されているパラメータ７を参照し、ＲＡＭ３０４に記憶した複数のユーザ要求Ｓ１を個々に保存する複数の送信ジョブ制御テーブル３０４ａ各々を制御して、送信ジョブ制御手段３０３ｂ（後述）を用いて各ユーザ要求の実行条件に基づき送信を行う。
【００７８】
送信ジョブ制御手段３０３ｂは、個々に対応する送信ジョブ制御テーブル３０４ａから該当する実行条件を検出する手段である。
【００７９】
ＲＡＭ３０４はＲＯＭ３１０に格納されているプログラムが展開されるランダムアクセスメモリである。その他、ＲＡＭ３０４には複合機３が処理をするために必要なデータが適時書き込まれるメモリでもある。更に、データ送信手段３０３ａによって、データ送信手段３０３ａが起動を開始すると、送信ジョブ制御テーブル３０４ａが生成されるメモリでもある。ここで送信ジョブ制御テーブル３０４ａの内容について説明する。
【００８０】
図１３は、実施例３の送信ジョブ制御テーブルの説明図である。
図に示すように、送信ジョブ制御テーブル３０４ａは、ユーザ要求識別子１８０１、送信宛先１８０２、送信開始時刻１８０３、リダイヤル回数１８０４、及び、リダイヤル間隔１８０５について、不揮発性メモリ１０８に格納されている送信ジョブの全てについて別々の表にし、ユーザ要求Ｓ１に基づく送信ジョブを制御するテーブルである。
【００８１】
ＲＯＭ３１０は、図示しないＣＰＵが実行することによって複合制御部３０３を起動生成し、装置全体を制御する制御プログラムを予め格納するリードオンリーメモリである。又、図示しないＣＰＵが実行することによって複合制御部３０３内のユーザ要求受入手段１０３ａと、プリンタ制御手段１０３ｂと、スキャナ制御手段１０３ｃと、ファクシミリ制御手段１０３ｄと、計時制御手段１０３ｅと、画像データ取得手段１０３ｆと、データ送信手段３０３ａと、各制御監視手段１０３ｈと、送信ジョブ制御手段３０３ｂとを起動生成し、オペレータパネル１０１から入力されたユーザ要求Ｓ１を受け入れて、実行するための制御プログラムを予め格納するリードオンリーメモリである。以上説明した実施例３の複合機３は、以下のように動作する。
【００８２】
（動作）の説明
以下に、実施例１または実施例２と相違する動作のみについて説明する。即ち、原稿送信が完了した後、または原稿送信が成功しなかった場合におけるリトライの動作のみについてのみ以下に説明する。
【００８３】
図１４は、実施例３のリトライ処理のフローチャートである。
ステップＳ３−１
データ送信手段３０３ａは、計時制御手段１０３ｅから時刻経過通知Ｓ３を受け入れると、送信ジョブ制御テーブル３０４ａをＲＡＭ３０４に形成する。送信ジョブ制御手段３０３ｂは、送信ジョブ制御テーブル３０４ａ（図１３）を参照し、該当するユーザ要求Ｓ１を特定し、実行条件をデータ送信手段３０３ａへ送る。データ送信手段３０３ａは、この実行条件に基づいて送信ジョブを生成してファクシミリ制御手段１０３ｄへ送る。
【００８４】
ステップＳ３−２
ファクシミリ制御手段１０３ｄは、相手側ファクシミリ１１１へ接続可能な場合にはステップＳ３−３へ進み、接続不可能な場合にはステップＳ３−４へ進む。
【００８５】
ステップＳ３−３
ファクシミリ制御手段１０３ｄは、データ送信手段３０３ａの制御に基づいて相手側ファクシミリ１１１への送信ジョブの送信を開始する。送信が終了するとデータ送信手段３０３ａは該当する送信ジョブに関連する情報を不揮発性メモリ１０８、及び送信ジョブ制御テーフル３０４ａから消去してフローを終了する。
【００８６】
ステップＳ３−４
ファクシミリ制御手段１０３ｄは、データ送信手段３０３ａの制御に基づいて送信ジョブを消去してステップＳ３−５へ進む。
【００８７】
ステップＳ３−５
ファクシミリ制御手段１０３ｄは、データ送信手段３０３ａの制御に基づいて一定時間（リトライ時間）経過後に再度ステップＳ３−１へ戻って新たに送信ジョブを生成することになる。
【００８８】
ここで、原稿送信に失敗した場合において、後に続くファクシミリ機能要求があった場合の動作について説明する。この場合、実施例１と異なり、原稿の送信が失敗するとその送信ジョブは削除され、一定時間（リトライ時間）経過後に、後に続く送信ジョブが生成される。そのため、その間に新たなファクシミリ機能の要求があった場合、その要求を処理するも可能になる。但し、実施例２と異なり、送信ジョブ制御手段３０３ｂ、及び、送信ジョブ制御テーブル３０４ａは、各ユーザ要求Ｓ１に１対１で対応している。
【００８９】
（効果）の説明
以上説明したように、本実施例によれば、実施例２の効果に加え、送信ジョブ制御手段３０３ｂを、送信ジョブ毎に設けたことで、ユーザ要求と送信ジョブとの関係を単純（ユーザ要求と送信ジョブ１対１）にし、送信ジョブの管理を簡単にすることが出来るという効果が得られる。
【実施例４】
【００９０】
上記実施例２または実施例３によれば、あるユーザ要求Ｓ１の処理で原稿の送信に失敗した場合に、その失敗した時点から、一定時間（リトライ時間）経過後に他のユーザが処理を割り込ませて複合機を利用することを可能にした。本実施例では、関連するジョブの稼動を監視し、関連するジョブが稼動していない場合には失敗したその時点から、あるいはまた、関連するジョブが稼動している場合には、その稼動の終了直後から他のユーザが処理を割り込ませることを可能にする。本実施例の複合機は、かかる目的を達成するために以下のように構成される。以下に実施例１、実施例２、または実施例３と異なる部分のみについて説明し、実施例１、実施例２、または実施例３と同様の部分については、実施例１、実施例２または実施例３と同一の符号を付して説明を援用する。
【００９１】
図１５は、実施例４の複合機の構成図である。
図に示すように、実施例４の画像形成装置としての複合機４は、オペレータパネル１０１と、ユーザインタフェース部１０２と、複合制御部４０３と、ＲＡＭ３０４と、プリンタ１０５と、スキャナ１０６と、ファクシミリ１０７と、不揮発性メモリ１０８と、時計回路１０９と、ＲＯＭ４１０とを備える。
【００９２】
複合制御部４０３は、図示しないＣＰＵがＲＯＭ４１０に予め格納されている所定の制御プログラムを実行することによって、装置全体を制御する部分である。特に、本実施例では、図示しないＣＰＵがＲＯＭ４１０に予め格納されている所定の制御プログラムを実行することによって、ユーザ要求受入手段１０３ａと、プリンタ制御手段１０３ｂと、スキャナ制御手段１０３ｃと、ファクシミリ制御手段１０３ｄと、計時制御手段１０３ｅと、画像データ取得手段１０３ｆと、データ送信手段４０３ａと、各制御監視手段１０３ｈと、送信ジョブ制御手段３０３ｂと、ジョブ監視手段４０３ｂとを起動・生成し、ユーザ要求Ｓ１を受け入れて実行する部分である。
【００９３】
複合制御部３０２は、計時制御手段１０３ｅから時刻経過通知Ｓ３を受け入れるとデータ送信制御手段３０３ａを用いて、不揮発性メモリ１０８に格納されているパラメータ７を参照し、ＲＡＭ３０４に記憶した複数のユーザ要求Ｓ１を個々に保存する複数の送信ジョブ制御テーブル３０４ａ各々を制御して、送信ジョブ制御手段３０３ｂ（後述）を用いて各ユーザ要求の実行条件に基づき送信を行う。また、ジョブの実行を開始させると、その管理をジョブ監視手段４０３ｂに委譲し、そのジョブの実行が終了するとジョブ終了通知Ｓ６を受け入れる部分である。更に、ユーザ要求Ｓ１が消去されると、後に続くユーザ要求Ｓ１がある場合には、ジョブ監視手段４０３ｂから消去されたユーザ要求Ｓ１に関連するジョブ（ここでは、原稿読み取りジョブと送信ジョブ）の全てのジョブ終了通知Ｓ６を受け入れると起動する手段である。
【００９４】
ジョブ監視手段４０３ｂは、ユーザ要求Ｓ１に含まれている各種のジョブ（ここでは、原稿読み取りジョブと送信ジョブ）の管理を行い、その稼動状態を管理し、ジョブの実行が終了すると、ジョブ終了通知Ｓ６をデータ送信手段４０３ａへ通知する手段である。
【００９５】
ＲＯＭ４１０は、図示しないＣＰＵが実行することによって複合制御部４０３を起動生成し、装置全体を制御する制御プログラムを予め格納するリードオンリーメモリである。又、図示しないＣＰＵが実行することによって複合制御部４０３内のユーザ要求受入手段１０３ａと、プリンタ制御手段１０３ｂと、スキャナ制御手段１０３ｃと、ファクシミリ制御手段１０３ｄと、計時制御手段１０３ｅと、データ送信手段４０３ａと、画像データ取得手段１０３ｆと、各制御監視手段１０３ｈと、送信ジョブ制御手段３０３ｂと、ジョブ監視手段４０３ｂとを起動生成し、オペレータパネル１０１から入力されたユーザ要求Ｓ１を受け入れて、実行するための制御プログラムを予め格納するリードオンリーメモリである。以上説明した実施例４の複合機４は、以下のように動作する。
【００９６】
（動作）の説明
以下に、実施例３と相違する動作のみについて説明する。即ち、原稿送信が完了した後、または原稿送信が成功しなかった場合におけるリトライの動作のみについてのみ以下に説明する。
【００９７】
図１６は、実施例４のリトライ処理のフローチャートである。
ステップＳ４−１
複合制御部４０３は、計時制御手段１０３ｅから時刻経過通知Ｓ３を受け入れるとデータ送信手段４０３ａを用いて、ＲＡＭ３０４に記憶した送信ジョブ制御テーブル３０４ａ各々を制御し、送信ジョブ制御手段３０３ｂを用いて時刻経過通知Ｓ３に該当するユーザ要求Ｓ１を特定し、実行条件をデータ送信手段４０３へ送る。データ送信手段４０３ａは、この実行条件に基づいて送信ジョブを生成してファクシミリ制御手段１０３ｄへ送る。このときジョブ監視手段４０３ｂによってユーザ要求Ｓ１に含まれている、原稿読み取りジョブと送信ジョブの状態管理が開始される。
【００９８】
ステップＳ４−２
ファクシミリ制御手段１０３ｄは相手側ファクシミリ１１１へ接続可能な場合にはステップＳ４−３へ進み、接続不可能な場合にはステップＳ４−４へ進む。
【００９９】
ステップＳ４−３
ファクシミリ制御手段１０３ｄは、データ送信手段４０３ａの制御に基づいて相手側ファクシミリ１１１への送信ジョブの送信を開始する。送信が終了するとデータ送信手段４０３ａは該当する送信ジョブに関連する情報を不揮発性メモリ１０８、及び送信ジョブ制御テーブル３０４ａ、から消去し、更にジョブ監視手段４０３ｂは、各ジョブの稼動状態を非稼動にしてフローを終了する。
【０１００】
ステップＳ４−４
ファクシミリ制御手段１０３ｄは、データ送信手段４０３ａの制御に基づいて送信ジョブを消去してステップＳ４−５へ進む。
【０１０１】
ステップＳ４−５
データ送信手段４０３ａは、ジョブ監視手段４０３ｂから、消去されたユーザ要求Ｓ１に関連するジョブ（ここでは、原稿読み取りジョブと送信ジョブ）の全てのジョブ終了通知Ｓ６を受け入れると再度ステップＳ４−１へ戻って新たに送信ジョブを生成することになる。
【０１０２】
尚、上記の説明では、本実施例を実施例３の構成にジョブ監視手段を追加したものとして説明しているが、本実施例はこの例に限定されるものではない。即ち、本実施例を実施例２の構成にジョブ監視手段を追加したものとしても良い。
【０１０３】
（効果）の説明
以上説明したように、本実施例によれば、原稿読取ジョブや送信ジョブといったジョブをジョブ監視手段４０３ｂが一元管理することで、全てのジョブの状態を監視することができるようになり、実施例１〜３までの効果に加えて、処理の起動タイミングを的確に捉えることが出来るという効果を得る。
【産業上の利用可能性】
【０１０４】
上記実施例では、本発明を複合機に適用した場合について説明したが、本発明はこの例に限定されるものでは無い。即ち、ファクシミリとしても適用可能である。
【図面の簡単な説明】
【０１０５】
【図１】実施例１の複合機の構成図である。
【図２】オペレータパネルの詳細な説明図である。
【図３】ファックス送信機能利用時に設定されるパラメータの内容説明図である。
【図４】実施例１のファクシミリ機能処理フローチャートである。
【図５】原稿読み取り処理フローチャートである。
【図６】時間待ち処理フローチャートである。
【図７】原稿送信処理フローチャートである。
【図８】原稿送信失敗時のリダイヤル処理フローチャートである。
【図９】実施例２の複合機の構成図である。
【図１０】実施例２の送信ジョブ管理テーブルの説明図である。
【図１１】実施例２のリトライ処理のフローチャートである。
【図１２】実施例３の複合機の構成図である。
【図１３】実施例３の送信ジョブ制御テーブルの説明図である。
【図１４】実施例３のリトライ処理のフローチャートである。
【図１５】実施例４の複合機の構成図である。
【図１６】実施例４のリトライ処理のフローチャートである。
【符号の説明】
【０１０６】
１  複合機
１０１  オペレータパネル１０１
１０２  ユーザインタフェース部
１０３  複合制御部
１０３ａ  ユーザ要求受入手段
１０３ｂ  プリンタ制御手段
１０３ｃ  スキャナ制御手段
１０３ｄ  ファクシミリ制御手段
１０３ｅ  計時制御手段
１０３ｆ  画像データ取得手段
１０３ｇ  データ送信手段
１０３ｈ  各制御監視手段
１０４  ＲＡＭ
１０５  プリンタ
１０６  スキャナ
１０７  ファクシミリ
１０８  不揮発性メモリ
１０９  時計回路
１１０  ＲＯＭ
１１１  相手側ファクシミリ
【図１】
2008219146.tif 000003
【図２】
2008219146.tif 000004
【図３】
2008219146.tif 000005
【図４】
2008219146.tif 000006
【図５】
2008219146.tif 000007
【図６】
2008219146.tif 000008
【図７】
2008219146.tif 000009
【図８】
2008219146.tif 000010
【図９】
2008219146.tif 000011
【図１０】
2008219146.tif 000012
【図１１】
2008219146.tif 000013
【図１２】
2008219146.tif 000014
【図１３】
2008219146.tif 000015
【図１４】
2008219146.tif 000016
【図１５】
2008219146.tif 000017
【図１６】
2008219146.tif 000018